(57)【要約】【課題】購入商品の会計前にその購入商品分も加味した累積ポイントを客に提示する。【解決手段】保有ポイント取得手段は、ポイントデータベースから、携帯端末を携帯するポイント会員の前記保有ポイントを取得する。サービスポイント取得手段は、携帯端末と近距離無線通信を行った電子棚札に表示された価格の販売商品を購入することでポイント会員に対して発行されるサービスポイントを取得する。ポイント加算手段は、保有ポイント取得手段により取得した保有ポイントにサービスポイント取得手段により取得したサービスポイントを加算した累積ポイントを算出する。ポイント出力手段は、ポイント加算手段により算出された累積ポイントを、電子棚札と近距離無線通信を行った携帯端末から出力する。【選択図】      図１５
2016057678.tif 000002
【特許請求の範囲】
【請求項１】
ポイント会員が携帯する携帯端末と、前記ポイント会員別に保有ポイントを記憶するポイントデータベースにアクセスするポイントサーバと、販売商品に関連続けられ、少なくともその販売商品の価格を表示する電子棚札とを含み、前記携帯端末と前記ポイントサーバとをネットワークを介して接続し、かつ、前記携帯端末と前記電子棚札との間で近距離無線通信が可能なポイントサービス処理システムにおいて、
前記ポイントデータベースから、前記携帯端末を携帯する前記ポイント会員の前記保有ポイントを取得する保有ポイント取得手段と、
前記携帯端末と近距離無線通信を行った前記電子棚札に表示された価格の前記販売商品を購入することで前記ポイント会員に対して発行されるサービスポイントを取得するサービスポイント取得手段と、
前記保有ポイント取得手段により取得した前記保有ポイントに前記サービスポイント取得手段により取得した前記サービスポイントを加算した累積ポイントを算出するポイント加算手段と、
このポイント加算手段により算出された前記累積ポイントを、前記電子棚札と近距離無線通信を行った前記携帯端末から出力するポイント出力手段と、
を具備したことを特徴とするポイントサービス処理システム。
【請求項２】
前記ポイント加算手段により算出された前記累積ポイントにより特典を付与可能なとき、その特典を受けるか否かの選択入力を前記電子棚札と近距離無線通信を行った前記携帯端末で受け付ける選択受付手段、
をさらに具備したことを特徴とする請求項１記載のポイントサービス処理システム。
【請求項３】
前記選択受付手段により前記特典を受ける旨の選択入力を受け付けると、前記ポイント加算手段により算出された前記累積ポイントから、前記特典を受けるために必要なポイントを減算するポイント減算手段、
をさらに具備したことを特徴とする請求項２記載のポイントサービス処理システム。
【請求項４】
ポイント会員が携帯し、前記ポイント会員別に保有ポイントを記憶するポイントデータベースにアクセスするポイントサーバとネットワークを介して接続され、かつ、販売商品に関連付けられ、少なくともその販売商品の価格を表示する電子棚札と近距離無線通信が可能な携帯端末において、
前記ポイントサーバとのネットワークを介したデータ通信により、当該携帯端末を携帯する前記ポイント会員の前記保有ポイントを取得する保有ポイント取得手段と、
近距離無線通信を行った前記電子棚札に表示された価格の前記販売商品を購入することで前記ポイント会員に対して発行されるサービスポイントを取得するサービスポイント取得手段と、
前記保有ポイント取得手段により取得した前記保有ポイントに前記サービスポイント取得手段により取得した前記サービスポイントを加算した累積ポイントを算出するポイント加算手段と、
このポイント加算手段により算出された前記累積ポイントを出力するポイント出力手段と、
を具備したことを特徴とする携帯端末。
【請求項５】
前記ポイント加算手段により算出された前記累積ポイントにより特典を付与可能なとき、その特典を受けるか否かの選択入力を受け付ける選択受付手段、
をさらに具備したことを特徴とする請求項４記載の携帯端末。
【請求項６】
ポイント会員が携帯し、前記ポイント会員別に保有ポイントを記憶するポイントデータベースにアクセスするポイントサーバとネットワークを介して接続され、かつ、販売商品に関連付けられ、少なくともその販売商品の価格を表示する電子棚札と近距離無線通信が可能な携帯端末のコンピュータに、
前記ポイントサーバとのネットワークを介したデータ通信により、当該携帯端末を携帯する前記ポイント会員の前記保有ポイントを取得する保有ポイント取得機能、
近距離無線通信を行った前記電子棚札に表示された価格の前記販売商品を購入することで前記ポイント会員に対して発行されるサービスポイントを取得させるサービスポイント取得機能、
前記保有ポイント取得機能により得られた前記保有ポイントに前記サービスポイント取得機能により得られた前記サービスポイントを加算した累積ポイントを算出するポイント加算機能、及び、
この加算機能により算出された前記累積ポイントを出力させる出力機能、
を実現させるためのプログラム。
【発明の詳細な説明】
【技術分野】
【０００１】
本発明の実施形態は、ポイントサービス制度を導入している小売店に構築されるポイントサービス処理システム及びこのシステムで用いる携帯端末並びにこの携帯端末に実装されるプログラムに関する。
【背景技術】
【０００２】
多くの小売店では、顧客の囲い込みを目的に、ポイントサービス制度を導入している。この制度では、会員登録をしたポイント会員が、店で商品を購入することによりサービスポイントの発行を受ける。発行されたサービスポイントは、ポイント会員別に累積される。累積ポイントが所定の値になると、店は、例えば景品などの特典と交換を可能とする。このようなポイントサービスを処理するシステムは、種々提案されている。
【０００３】
しかしながら、従来のポイントサービス処理システムでは、ポイント会員は、購入する商品の会計を終えないと、今回購入分も加味した累積ポイントを確認することができない。このため、例えばあと５ポイント加算されると特典が付与される場合でも、その事実をポイント会員が知ったときにはすでに会計が終了している。会計前にその事実を顧客に伝えることができたならば、客は５ポイント分の商品をさらに購入する可能性があり、販売の促進につながる。
【先行技術文献】
【特許文献】
【０００４】
【特許文献１】特開２０１０−２５０６１３号公報
【発明の概要】
【発明が解決しようとする課題】
【０００５】
本発明の実施形態が解決しようとする課題は、購入商品の会計前にその購入商品分も加味した累積ポイントを客に提示できるポイントサービス処理システム及びこのシステムで用いる携帯端末並びにこの携帯端末の制御プログラムを提供しようとするものである。
【課題を解決するための手段】
【０００６】
一実施形態において、ポイントサービス処理システムは、ポイント会員が携帯する携帯端末と、前記ポイント会員別に保有ポイントを記憶するポイントデータベースにアクセスするポイントサーバと、販売商品に関連続けられ、少なくともその販売商品の価格を表示する電子棚札とを含む。前記携帯端末と前記ポイントサーバとは、ネットワークを介して接続される。前記携帯端末と前記電子棚札との間は、近距離無線通信が可能である。このようなポイントサービス処理システムに、保有ポイント取得手段と、サービスポイント取得手段と、ポイント加算手段と、ポイント出力手段とを設ける。保有ポイント取得手段は、前記ポイントデータベースから、前記携帯端末を携帯する前記ポイント会員の前記保有ポイントを取得する。サービスポイント取得手段は、前記携帯端末と近距離無線通信を行った前記電子棚札に表示された価格の前記販売商品を購入することで前記ポイント会員に対して発行されるサービスポイントを取得する。ポイント加算手段は、前記保有ポイント取得手段により取得した前記保有ポイントに前記サービスポイント取得手段により取得した前記サービスポイントを加算した累積ポイントを算出する。ポイント出力手段は、ポイント加算手段により算出された前記累積ポイントを、前記電子棚札と近距離無線通信を行った前記携帯端末から出力する。
【図面の簡単な説明】
【０００７】
【図１】一実施形態におけるポイントサービス処理システムの全体構成図。
【図２】図１に示すポイントデータベースに保存されるデータレコードの主要なデータ構造を示す模式図。
【図３】図１のポイントサーバが有する景品テーブルの一例を示す模式図。
【図４】図１に示すＥＳＬデータベースに保存されるデータレコードの主要なデータ構造を示す模式図。
【図５】図１に示す電子棚札の構成を示すブロック図。
【図６】同電子棚札の正面図。
【図７】図１に示す携帯端末の構成を示すブロック図。
【図８】図７に示す携帯端末のＲＡＭに形成される主要なメモリ領域を示す模式図。
【図９】図７に示す携帯端末のＣＰＵがポイントサービスプログラムにしたがって実行する情報処理手順を示す流れ図。
【図１０】図７に示す携帯端末のＣＰＵがポイントサービスプログラムにしたがって実行する情報処理手順を示す流れ図。
【図１１】図１０に示す仮登録処理の具体的な手順を示す流れ図。
【図１２】図１０に示す取消処理の具体的な手順を示す流れ図。
【図１３】図１０のAct１３の処理で表示される仮登録画面の一例を示す図。
【図１４】図１１のAct４３の処理で表示される交換選択画面の一例を示す図。
【図１５】図１１のAct４７の処理で表示される仮登録画面の一例を示す図。
【図１６】図１１のAct４７の処理で表示される仮登録画面の他の例を示す図。
【図１７】図１１のAct４７の処理で表示される仮登録画面の他の例を示す図。
【図１８】図１２のAct６７の処理で表示される仮登録画面の一例を示す図。
【発明を実施するための形態】
【０００８】
以下、購入商品の会計前にその購入商品分も加味した累積ポイントを客に提示できるポイントサービス処理システムの実施形態について、図面を用いて説明する。
【０００９】
図１は、本実施形態におけるポイントサービス処理システム１の全体構成図である。本システム１は、ポイントサービス制度を導入する小売店に構築される。本システム１は、ポイント管理システム２と、ＥＳＬ（Electronic Shelf Label）システム３と、ＰＯＳ（Point Of Sales）システム４とを含む。また本システム１は、ポイント会員となった顧客がそれぞれ携帯する携帯端末５を含む。
【００１０】
ポイント管理システム２は、ポイントサーバ２１と、ポイントデータベース２２とを備える。ＥＳＬシステム３は、ＥＳＬサーバ３１と、ＥＳＬデータベース３２と、中継機３３と、複数の電子棚札（ＥＳＬ）３４とを備える。ＰＯＳシステム４は、ＰＯＳサーバ４１と、ＰＯＳデータベース４２と、複数のＰＯＳ端末４３とを含む。ポイントサーバ２１とＥＳＬサーバ３１とＰＯＳサーバ４１とは、それぞれルータ６Ａ，６Ｂ，６Ｃを介してイントラネット等の専用ネットワーク７に接続しており、この専用ネットワーク７を介してのサーバ間での双方向のデータ通信を可能としている。
【００１１】
ＥＳＬシステム３とＰＯＳシステム４とは、小売店毎に構築される。ポイント管理システム２は、小売店毎に構築されていてもよいし、複数の小売店がポイント管理システム２を共有してもよい。
【００１２】
携帯端末５は、インターネット等の汎用ネットワーク８を介してポイントサーバ２１にアクセス可能な電子機器である。携帯端末５は、入力デバイスと表示デバイスとを備える。また携帯端末５は、本システム１のポイントサービスに対応したアプリケーションプログラム（以下、ポイントサービスプログラムと称する）を実装する。ポイントサービスプログラムは、例えば汎用ネットワーク８を介してポイントサーバ２１にアクセスすることにより、携帯端末５にインストールできる。このような携帯端末５は、本システム専用の電子機器であってもよいし、スマートフォン、タブレット端末等の汎用の電子機器であってもよい。
【００１３】
ポイントサーバ２１は、ポイントデータベース２２にアクセス可能である。ポイントデータベース２２は、ポイントサーバ２１に内蔵の記憶装置に形成されていてもよいし、ポイントサーバ２１に接続された記憶装置に形成されていてもよい。
【００１４】
ポイントデータベース２２は、図２に示すように、会員ＩＤと保有ポイントＰｘとを含むデータレコード２２Ｒを、ポイント会員の人数分保存する。会員ＩＤは、各ポイント会員を識別するための固有のコードである。保有ポイントＰｘは、同一レコード２２Ｒの会員ＩＤで識別されるポイント会員が保有するサービスポイントの累積値である。すなわちポイントデータベース２２は、各ポイント会員の会員ＩＤ別に、そのポイント会員の保有ポイントＰｘを関連付けて記憶する。
【００１５】
ポイントサーバ２１は、図３に示すように、景品コード別に景品名称と必要ポイントＰｎとがセットされる景品テーブル２３を備える。景品コードは、サービスポイントと交換にポイント会員に提供される各景品にそれぞれ割り当てられる一意のコードである。景品名称は、対応する景品コードによって特定される景品の固有名称である。必要ポイントＰｎは、対応する景品コードによって特定される景品の交換に必要なサービスポイントの値である。景品テーブル２３は、例えばポイントサーバ２１の補助記憶デバイスに保存される。そして、景品コード、景品名称、必要ポイントＰｎの各データは、必要に応じて適宜追加，削除または変更することができる。
【００１６】
ＥＳＬサーバ３１は、ＥＳＬデータベース３２にアクセス可能である。またＥＳＬサーバ３１は、無線回路を搭載しており、中継機３３との間で無線を利用したデータ通信を可能とする。中継機３３は、通信回線３５を介して複数の電子棚札３４を接続する。各電子棚札３４は、それぞれ販売商品に関連付けられ、その商品が陳列されている商品棚等に取り付けられる。
【００１７】
ＥＳＬデータベース３２は、図４に示すように、ＥＳＬＩＤ、商品コード、商品名、価格及び付与ポイントＰｉを含むデータレコード３２Ｒを、電子棚札３４の数だけ保存する。ＥＳＬＩＤは、各電子棚札３４を識別するための固有のコードである。商品コード、商品名及び価格は、同一レコードのＥＳＬＩＤで識別される電子棚札３４に関連付けられた販売商品の情報である。付与ポイントＰｉは、その販売商品を購入することでポイント会員に提供されるサービスポイントである。
【００１８】
ＰＯＳサーバ４１は、ＰＯＳデータベース４２にアクセス可能である。またＰＯＳサーバ４１は、通信回線４４を介して複数のＰＯＳ端末４３を接続する。各ＰＯＳ端末４３は、ポイント会員が購入する商品の販売データを登録処理する。
【００１９】
ＰＯＳデータベース４２は、商品コード、分類コード、商品名、価格、売上点数、売上金額等を含むデータレコードを、販売商品の数だけ保存する。商品コードは、各販売商品を識別するための固有のコードである。分類コード、商品名及び価格は、同一レコードの商品コードで識別される販売商品の設定情報である。売上点数及び売上金額は、同一レコードの商品コードで識別される販売商品の集計情報である。ＰＯＳサーバ４１は、各ＰＯＳ端末４３で登録処理された各商品の販売データを、通信回線４４を介して収集する。そしてＰＯＳサーバ４１は、収集した販売データの点数及び金額を、その商品の売上点数及び売上金額にそれぞれ加算する。かくしてＰＯＳシステム４は、販売時点の商品売上に係る実績情報を管理することができる。
【００２０】
図５は、電子棚札３４の構成を示すブロック図である。また図６は、電子棚札３４の正面図である。図５に示すように、電子棚札３４は、ＣＰＵ（Central Processing Unit）３４１、ＲＯＭ（Read Only Memory）３４２、ＲＡＭ(Random Access Memory)３４３、中継機インターフェース３４４、表示デバイス３４５及びＮＦＣ（Near Field Communication）チップ３４６を搭載し、これらをアドレスバス，データバス等のバスラインＢＬで接続する。また図６に示すように、電子棚札３４は、長方形の札状をなす本体３４０の正面に、表示デバイス３４５を配置する。
【００２１】
ＣＰＵ３４１は、コンピュータの中枢部分に相当する。ＣＰＵ３４１は、オペレーティングシステムやアプリケーションプログラムに従って、電子棚札３４としての各種の機能を実現するべく各部を制御する。
【００２２】
ＲＯＭ３４２は、上記コンピュータの主記憶部分に相当する。ＲＯＭ３４２は、上記のオペレーティングシステムやアプリケーションプログラムを記憶する。ＲＯＭ３４２は、ＣＰＵ３４１が各部を制御するための処理を実行する上で必要なデータを記憶する場合もある。ＲＯＭ３４２は、当該電子棚札３４に対して割り当てられたＥＳＬＩＤを記憶する。ＲＯＭ３４２は、電気的にデータの書き換えが可能なフラッシュＲＯＭであってもよい。
【００２３】
ＲＡＭ３４３は、上記コンピュータの主記憶部分に相当する。ＲＡＭ３４３は、ＣＰＵ３４１が処理を実行する上で必要なデータを記憶する。またＲＡＭ３４１は、ＣＰＵ３４１によって情報が適宜書き換えられるワークエリアとしても利用される。ワークエリアは、表示デバイス３４５に表示されるデータのバッファを含む。
【００２４】
中継機インターフェース３４４は、通信回線３５を介して接続された中継機３３との間でデータ通信を行う。表示デバイス３４５は、図６に示すように、長方形の札状をなす端末本体３４０の正面に配置される。表示デバイス３４５は、前記バッファに格納された情報を表示する。ＮＦＣチップ３４６は、電子棚札３４に近接された他のＮＦＣチップ搭載機器とＮＦＣ規格による近距離無線通信、いわゆるＮＦＣ通信を行う。
【００２５】
ＥＳＬサーバ３１は、ＥＳＬデータベース３２に保存されているデータレコード３２Ｒ毎にＥＳＬＩＤと商品名と価格とを検出する。そしてＥＳＬサーバ３１は、そのＥＳＬＩＤと商品名と価格とを含む通信データを、無線を利用して中継機３３に配信する。中継機３３は、ＥＳＬサーバ３１から受信した通信データを通信回線３５に配信する。各電子棚札３４のＣＰＵ３４１は、中継機インターフェース３４４を介して受信した通信データの中から、自らのＥＳＬＩＤを含む通信データを検出する。そしてＣＰＵ３４１は、その通信データに含まれる商品名と価格とを、バッファに書き込む。かくして表示デバイス３４５には、図６に示すように、電子棚札３４が関連付けられた販売商品の商品名と価格とが表示される。
【００２６】
図７は、携帯端末５の構成を示すブロック図である。携帯端末５は、ＣＰＵ５１、ＲＯＭ５２、ＲＡＭ５３、補助記憶デバイス５４、タッチパネル５５、通信デバイス５６及びＮＦＣチップ５７を搭載し、これらをアドレスバス，データバス等のバスラインＢＬで接続する。
【００２７】
ＣＰＵ５１は、コンピュータの中枢部分に相当する。ＣＰＵ５１は、オペレーティングシステムやアプリケーションプログラムに従って、携帯端末５としての各種の機能を実現するべく各部を制御する。
【００２８】
ＲＯＭ５２は、上記コンピュータの主記憶部分に相当する。ＲＯＭ５２は、上記のオペレーティングシステムやアプリケーションプログラムを記憶する。ＲＯＭ５２は、ＣＰＵ５１が各部を制御するための処理を実行する上で必要なデータを記憶する場合もある。
【００２９】
ＲＡＭ５３は、上記コンピュータの主記憶部分に相当する。ＲＡＭ５３は、ＣＰＵ５１が処理を実行する上で必要なデータを記憶する。またＲＡＭ５３は、ＣＰＵ５１によって情報が適宜書き換えられるワークエリアとしても利用される。
【００３０】
補助記憶デバイス５４は、上記コンピュータの補助記憶部分に相当する。補助記憶デバイス５４は、例えばフラッシュメモリカードである。補助記憶デバイス５４は、ＣＰＵ５１が各種の処理を行う上で使用するデータや、ＣＰＵ５１での処理によって生成されたデータを保存する。補助記憶デバイス５４は、上記のアプリケーションプログラムを記憶する場合もある。
【００３１】
さらに補助記憶デバイス５４は、当該携帯端末５を携帯するポイント会員固有の会員ＩＤを記憶する。会員ＩＤは、ポイントサービスプログラムを自己の携帯端末５にインストールする際にポイントサーバ２１によって一意のものが決定される。携帯端末５がスマートフォンや携帯電話の場合、ポイントサーバ２１は、電話番号を顧客コードとして決定してもよい。
【００３２】
タッチパネル５５は、表示デバイスであるパネル型ディスプレイの画面に、入力デバイスであるタッチセンサを配置したデバイス機器である。通信デバイス５６は、汎用ネットワーク８を介してポイントサーバ２１との間で行う双方向のデータ通信を制御する。ＮＦＣチップ５７は、携帯端末５に近接された他のＮＦＣチップ搭載機器とＮＦＣ規格による近距離無線通信、いわゆるＮＦＣ通信を行う。
【００３３】
ポイントサービスプログラムがインストールされた携帯端末５のＲＡＭ５３には、図８に示すメモリ領域５３１〜５３６が形成される。メモリ領域５３１は、当該携帯端末５を携帯するポイント会員によって仮登録された商品の情報、すなわち商品コード、商品名、価格及び付与ポイントＰｉを格納する領域である。ポイント会員は、売場に陳列されている商品の中から購入する商品を決めると、その商品を買物籠（またはショッピングカート等）に入れるとともに、その商品に関連付けられた電子棚札３４に携帯端末５を近づけて仮登録を行う。以下、このメモリ領域５３１を、仮登録メモリ５３１と称する。
【００３４】
メモリ領域５３２は、仮登録メモリ５３１に情報が格納された商品の合計点数、いわゆる仮登録点数Ｎを格納する領域である。以下、このメモリ領域５３２を、仮登録点数メモリ５３２と称する。メモリ領域５３３は、仮登録メモリ５３１に情報が格納された商品の価格合計、いわゆる仮登録金額Ａを格納する領域である。以下、このメモリ領域５３３を、仮登録金額メモリ５３３と称する。
【００３５】
メモリ領域５３４は、当該携帯端末５を携帯するポイント会員の現時点の保有ポイントＰｘを格納する領域である。以下、このメモリ領域５３４を、保有ポイントメモリ５３４と称する。メモリ領域５３５は、仮登録メモリ５３１に情報が格納された商品を購入することで当該ポイント会員が保有することになる累積ポイントＰｙを格納する領域である。以下、このメモリ領域５３５を、累積ポイントメモリ５３５と称する。
【００３６】
メモリ領域５３６は、一連の番号順に、前記景品テーブル２３にセットされている景品コード、景品名称及び必要ポイントＰｙの各データと、不足ポイントＰｓと、交換ステータスＳＴとを格納する領域である。以下、このメモリ領域５３６を景品管理メモリ５３６と称する。不足ポイントＰＳは、関連付けられた景品コードの景品を交換可能となるまでに足りない累積ポイントＰｙの値である。交換ステータスＳＴは、関連付けられた景品コードの景品を交換可能であるか否か、また、交換可能な場合には交換するか否かを識別する情報である。本実施形態では、交換可能な場合のステータスを“９”とし、交換不可能な場合若しくは交換しない場合のステータスＳＴを“０”とし、交換する場合のステータスＳＴを“１”とする。
【００３７】
図９〜図１２は、携帯端末５のＣＰＵ５１が、ポイントサービスプログラムにしたがって実行する情報処理手順を示す流れ図である。また、図１３〜図１８は、情報処理にしたがって携帯端末５のタッチパネル５５に表示される画面の一例を示す模式図である。以下、これらの図を参照して、本システム１に係る携帯端末５の動作について説明する。
【００３８】
はじめにポイント会員は、ポイントサービス処理システム１が構築された小売店で買物をする前に、携帯端末５にインストールされているポイントサービスプログラムを起動する。ポイントサービスプログラムが起動すると、ＣＰＵ５１は、図９の流れ図に示す手順の情報処理を開始する。
【００３９】
先ずＣＰＵ５１は、ＲＡＭ５３に形成されているメモリ領域５３１〜５３６を初期化する（Act１）。この初期化により、仮登録メモリ５３１と景品管理メモリ５３６のデータはクリアされる。仮登録点数Ｎ、仮登録金額Ａ、保有ポイントＰｘ及び累積ポイントＰｙは、いずれも“０”となる。
【００４０】
次にＣＰＵ５１は、補助記憶デバイス５４から会員ＩＤを取得する。そしてＣＰＵ５１は、この会員ＩＤを、通信デバイス５６を介してポイントサーバ２１に送信する（Act２）。
【００４１】
汎用ネットワーク８を介して会員ＩＤを受信したポイントサーバ２１は、ポイントデータベース２２にアクセスする。そしてポイントサーバ２１は、受信した会員ＩＤを含むデータレコード２２Ｒを読出し、このデータレコードの保有ポイントＰｙを含む会員データを、会員ＩＤ送信元の携帯端末５に返信する。またポイントサーバ２１は、会員データとともに景品テーブル２３のデータ（景品コード、景品名称、必要ポイントＰｎ）も携帯端末５に送信する。
【００４２】
Act２にて会員ＩＤを送信したＣＰＵ５１は、会員データと景品テーブル２３のデータとを待機する（Act３）。そして、通信デバイス５６を介して会員データと景品テーブル２３のデータとを受信したならば（Act３にてＹＥＳ）、ＣＰＵ５１は、会員データ中の保有ポイントＰｘを、保有ポイントメモリ５３４と累積ポイントメモリ５３５とにそれぞれ格納する（Act４：保有ポイント取得手段）。またＣＰＵ５１は、景品テーブル２３のデータを景品管理メモリ５３６に格納する（Act５）。
【００４３】
ＣＰＵ５１は、カウンタｋを“０”にリセットする（Act６）。次いでＣＰＵ５１は、カウンタｋを“１”だけカウントアップする（Act７）。そしてＣＰＵ５１は、景品管理メモリ５３６のｋ番目エリア（ｋはカウンタｋの値）に、景品データが格納されているか否かを確認する（Act８）。景品データが格納されている場合（Act８にてＹＥＳ）、ＣＰＵ５１は、そのｋ番目エリアの不足ポイントＰｓを、同ｋ番目エリアの必要ポイントＰｎから保有ポイントメモリ５３４の保有ポイントＰｘを減算した値とする（Act９）。ＣＰＵ５１は、ｋ番目エリアの不足ポイントＰｓが正であるか否かを確認する（Act１０）。不足ポイントＰｓが正の場合（Act１０にてＹＥＳ）、ＣＰＵ５１は、ｋ番目エリアの交換ステータスＳＴを“０”とする（Act１１）。不足ポイントＰｓが“０”または負の場合には（Act１０にてＮＯ）、ＣＰＵ５１は、同交換ステータスＳＴを“９”とする（Act１２）。
【００４４】
Act１１またはAct１２の処理を終えると、ＣＰＵ５１は、Act７の処理に戻る。すなわちＣＰＵ５１は、カウントｋをさらに“１”だけカウントアップして、Act８以降の処理を実行する。この繰り返しにより、景品管理メモリ５３６には、景品データ毎に不足ポイントＰｓと交換ステータスＳＴとがセットされる。
【００４５】
景品管理メモリ５３６のｋ番目エリアに景品データが格納されていないことを確認すると（Act８にてＮＯ）、図１０に示すように、ＣＰＵ５１はタッチパネル５５に仮登録画面９１（図１３を参照）を表示させる（Act１３）。
【００４６】
図１３は、Act１３の時点で表示される仮登録画面９１の一表示例である。この例は、保有ポイントＰｙが１４５ポイントのポイント会員の場合である。仮登録画面９１には、保有ポイントＰｘ、累積ポイントＰｙ及び景品毎の不足ポイントＰｓと、仮登録商品の明細エリア９１１と、会計ボタン９１２と、取消ボタン９１３とが表示されている。
【００４７】
ポイント会員は、仮登録画面９１から、自らの保有ポイントが１４５ポイントであること、３種類の景品があり、そのうち景品ＡＡＡについては、あと５ポイント加算されれば交換可能になること、等を確認できる。
【００４８】
因みに、明細エリア９１１には、その上段に、直前に携帯端末５にて仮登録をした商品の品名及び価格が表示され、下段に仮登録点数Ｎと仮登録金額Ａとが表示される。会計ボタン９１２は、仮登録をした商品の会計を宣言する場合に、ポイント会員がタッチ操作する。取消ボタン９１３は、仮登録をした商品の購入を取り止める場合に、ポイント会員がタッチ操作する。現時点では、仮登録をした商品が存在しないので、会計ボタン９１２と取消ボタン９１３とを非表示としてもよい。
【００４９】
仮登録画面９１を表示させたＣＰＵ５１は、入力待機状態となる。すなわちＣＰＵ５１は、会計ボタン９１２が入力されるか（Act１４）、取消ボタン９１３が入力されるか（Act１５）、ＮＦＣ通信が行われるのを待機する（Act１６）。
【００５０】
タッチパネル５５を介して、会計ボタン９１２が入力されたことを検知した場合（Act１４にてＹＥＳ）、ＣＰＵ５１は、仮登録点数Ｎが“０”よりも大きいか否かを確認する（Act１７）。仮登録点数Ｎが“０”よりも大きい場合（Act１７にてＹＥＳ）、仮登録された商品がある。この場合、ＣＰＵ５１は、会計フラグＦをオンする（Act１８）。会計フラグは、例えばＲＡＭ６３に記憶されている。仮登録点数Ｎが“０”の場合には（Act１７にてＮＯ）、仮登録された商品はない。この場合、ＣＰＵ５１は、Act１８の処理を実行しない。その後ＣＰＵ５１は、入力待機状態に戻る。
【００５１】
タッチパネル５５を介して、取消ボタン９１３が入力されたことを検知した場合（Act１５にてＹＥＳ）、ＣＰＵ５１は、仮登録点数Ｎが“０”よりも大きいか否かを確認する（Act１９）。仮登録点数Ｎが“０”よりも大きい場合（Act１９にてＹＥＳ）、仮登録された商品がある。この場合、ＣＰＵ５１は、取消フラグＦをオンする（Act２０）。取消フラグは、例えばＲＡＭ６３に記憶されている。仮登録点数Ｎが“０”の場合には（Act１９にてＮＯ）、仮登録された商品はない。この場合、ＣＰＵ５１は、Act２０の処理を実行しない。その後ＣＰＵ５１は、入力待機状態に戻る。
【００５２】
本実施形態では、携帯端末５以外に、各電子棚札３４がＮＦＣチップ３４６を搭載している。また図示しないが、各ＰＯＳ端末４３は、ＮＦＣチップを搭載したＮＦＣリーダを接続している。このため、ポイント会員が電子棚札３４に携帯端末５を近づけた場合、携帯端末５は、電子棚札３４との間でＮＦＣ通信を行う。同様に、ポイント会員がＰＯＳ端末４３のＮＦＣリーダに携帯端末５を近づけた場合、携帯端末５は、ＰＯＳ端末４３との間でＮＦＣ通信を行う。
【００５３】
ＮＦＣ通信が行われたことを検知すると（Act１６にてＹＥＳ）、ＣＰＵ５１は、通信相手先が電子棚札３４なのかＰＯＳ端末４３なのかを確認する（Act２１）。通信相手先が電子棚札３４の場合（Act２１にてＥＳＬ）、ＣＰＵ５１は、取消フラグをチェックする（Act２２）。取消フラグがオフしている場合（Act２２にてＮＯ）、ＣＰＵ５１は、後述する仮登録処理を実行する（Act２３）。取消フラグがオンしている場合には（Act２２にてＹＥＳ）、ＣＰＵ５１は、後述する取消処理を実行する（Act２４）。その後ＣＰＵ５１は、入力待機状態に戻る。
【００５４】
通信相手先がＰＯＳ端末４３の場合には（Act２１にてＰＯＳ）、ＣＰＵ５１は、会計フラグをチェックする（Act２５）。会計フラグがオフしている場合（Act２５にてＮＯ）、ＣＰＵ５１は、入力待機状態に戻る。会計フラグがオンしている場合には（Act２５にてＹＥＳ）、ＣＰＵ５１は、このＮＦＣ通信を利用して、会員ＩＤとともに各メモリ５３１〜５３６のデータをＰＯＳ端末４３に送信する（Act２６）。以上で、ＣＰＵ５１は、ポイントサービスプログラムにしたがった情報処理を終了する。
【００５５】
仮登録画面９１を確認したポイント会員は、小売店での買物を開始する。そして購入する商品を決めると、ポイント会員は、その商品を買物籠に入れるとともに、その商品に関連付けられた電子棚札３４に携帯端末５を近づけて仮登録を行う。そうすると、携帯端末５のＮＦＣチップ５７と電子棚札３４のＮＦＣチップ３４６との間で、ＮＦＣ通信が行われる。このＮＦＣ通信により、携帯端末５では、Act１６の処理にて“ＹＥＳ”と判断され、Act２１の処理にて“ＥＳＬ”と判断され、Act２２の処理にて“ＮＯ”と判断されて、仮登録処理が開始される。
【００５６】
図１１は、仮登録処理の手順を具体的に示す流れ図である。仮登録処理に入ると、ＣＰＵ５１は、ＮＦＣ通信相手の電子棚札３４からＥＳＬＩＤを取得する（Act３１）。ＥＳＬＩＤを取得すると、ＣＰＵ５１は、そのＥＳＬＩＤを、通信デバイス５６を介してポイントサーバ２１に送信する（Act３２）。
【００５７】
汎用ネットワーク８を介してＥＳＬＩＤを受信したポイントサーバ２１は、専用ネットワーク７を介してＥＳＬサーバ３１にそのＥＳＬＩＤを転送する。ＥＳＬＩＤを受信したＥＳＬサーバ３１は、ＥＳＬデータベース３２にアクセスする。そしてＥＳＬサーバ３１は、受信したＥＳＬＩＤを含むデータレコード３２Ｒを読出し、このデータレコードの商品コード、商品名、価格及び付与ポイントＰｉを含むＥＳＬデータを、汎用ネットワーク８を介してポイントサーバ２１に送信する。ＥＳＬデータを受信したポイントサーバ２１は、そのＥＳＬデータを、ＥＳＬＩＤ送信元の携帯端末５に送信する。
【００５８】
Act３２にてＥＳＬＩＤを送信したＣＰＵ５１は、ＥＳＬデータを待機する（Act３３）。そして、通信デバイス５６を介してＥＳＬデータを受信したならば（Act３３にてＹＥＳ）、ＣＰＵ５１は、そのＥＳＬデータに含まれる商品コード、商品名、価格及び付与ポイントＰｉを、仮登録メモリ５３１に登録（格納）する（Act３４：サービスポイント取得手段）。
【００５９】
登録後、ＣＰＵ５１は、仮登録点数Ｎに“１”を加算する（Act３５）。またＣＰＵ５１は、仮登録金額Ａに、ＥＳＬデータに含まれる価格を加算する（Act３６）。さらにＣＰＵ５１は、累積ポイントＰｙに、ＥＳＬデータに含まれる付与ポイントＰｉを加算する（Act３７：ポイント加算手段）。なお、Act３５，３６，３７の処理順序は、本実施形態に限定されない。前後が入れ替わってもよい。
【００６０】
その後、ＣＰＵ５１は、カウンタｋを“０”にリセットする（Act３８）。次いでＣＰＵ５１は、カウンタｋを“１”だけカウントアップする（Act３９）。そしてＣＰＵ５１は、景品管理メモリ５３６のｋ番目エリア（ｋはカウンタｋの値）に、景品データが格納されているか否かを確認する（Act４０）。景品データが格納されている場合（Act４０にてＹＥＳ）、ＣＰＵ５１は、そのｋ番目エリアの不足ポイントＰｓから、ＥＳＬデータに含まれる付与ポイントＰｉを減算する（Act４１）。そしてＣＰＵ５１は、付与ポイントＰｉを減算した後の不足ポイントＰｓが正であるか否かを確認する（Act４２）。不足ポイントＰｓが正の場合（Act４２にてＹＥＳ）、ＣＰＵ５１は、Act３９の処理に戻る。
【００６１】
不足ポイントＰｓが“０”または負の場合には（Act４２にてＮＯ）、ｋ番目エリアの景品を累積ポイントＰｙによって交換可能である。この場合、ＣＰＵ５１は、景品を交換するか否かを問い合わせる交換問合せ画面９２（図１４を参照）をタッチパネル５５に表示させる（Act４３）。
【００６２】
図１４は、Act４３の時点で表示される交換問合せ画面９２の一表示例である。この例は、保有ポイントＰｙが１４５ポイントのポイント会員が、計７ポイントの付与ポイントが得られる商品２点の仮登録を行った場合である。すなわち、現在の累積ポイントＰｙは、１５２ポイントなっている。景品ＡＡＡは、必要ポイントが１５０ポイントであるので、累積ポイントＰｙと交換可能である。このため交換問合せ画面９２には、累積ポイントＰｙによって景品ＡＡＡを交換可能であることを通知するメッセージ９２１とともに、ＹＥＳボタン９２２とＮＯボタン９２３とが表示される。
【００６３】
交換問合せ画面９２を確認したポイント会員は、累積ポイントＰｙを景品ＡＡＡと交換するか否かを決める。交換する場合、ポイント会員はＹＥＳボタン９２２にタッチ操作する。交換しない場合には、ポイント会員はＮＯボタン９２３にタッチ操作する。
【００６４】
交換問合せ画面９２を表示させたＣＰＵ５１は、ＹＥＳボタン９２２が入力されるか、ＮＯボタン９２３が入力されるのを待機する（Act４４：選択受付手段）。ＹＥＳボタン９２２が入力された場合（Act４４にてＹＥＳ）、ＣＰＵ５１は、Ｋ番目エリアの交換ステータスＳＴを“１”に変更する（Act４５）。またＣＰＵ５１は、累積ポイントメモリ５３５の累積ポイントＰｙからｋ番目エリアの必要ポイントＰｎを減算する（Act４６：ポイント減算手段）。ＮＯボタン９２２が入力された場合には（Act４４にてＮＯ）、Act４５及びAct４６の処理を実行しない。その後、ＣＰＵ５１は、Act３９の処理に戻る。
【００６５】
すなわちＣＰＵ５１は、カウントｋをさらに“１”だけカウントアップして、Act４０以降の処理を再度実行する。この繰り返しにより、景品管理メモリ５３６にセットされた各景品データの不足ポイントＰｓから、ＥＳＬデータに含まれる付与ポイントＰｉが減算される。そして不足ポイントＰｓが“０”または負になった景品については、交換問合せ画面９２が表示される（Act４３）。ここで、ＹＥＳボタン９２２が入力された場合には、景品管理メモリ５３６の該当する景品データに対応した交換ステータスＳＴが“１”に変更される。また、累積ポイントメモリ５３５の累積ポイントＰｙから該当する景品データの必要ポイントＰｎが減算される。ＮＯボタン９２２が入力された場合には、交換ステータスＳＴ及び累積ポイントＰｙは変更されない。
【００６６】
景品管理メモリ５３６のｋ番目エリアに景品データが格納されていないことを確認すると（Act３９にてＮＯ）、ＣＰＵ５１は、仮登録画面９１の情報を編集し直して、更新後の仮登録画面９３をタッチパネル５５に表示させる（Act４７：ポイント出力手段）。以上で、仮登録処理は終了する。
【００６７】
図１５、図１６、図１７は、仮登録処理において更新された後の仮登録画面９３Ａ，９３Ｂ，９３Ｃの一例である。図１３の仮登録画面９１が表示されている状態において、付与ポイントＰｉが３ポイントの商品ＡＢＣを購入するために、ポイント会員が、この商品ＡＢＣに関連付けられた電子棚札３４に携帯端末５を近づけたとする。この場合、累積ポイントＰｙは１４８ポイントとなるので、図１５に示す仮登録画面９３Ａに更新される。ポイント会員は、仮登録画面９３Ａから、付与ポイントＰｉが２ポイント以上の商品をさらに購入することで、累積ポイントＰｙによって景品ＡＡＡを交換可能であることを確認できる。
【００６８】
図１４の仮登録画面９１が表示されている状態において、付与ポイントＰｉが４ポイントの商品ＤＥＦを購入するために、ポイント会員が、この商品ＡＢＣに関連付けられた電子棚札３４に携帯端末５を近づけたとする。この場合、累積ポイントＰｙは１５２ポイントとなり、景品ＡＡＡの必要ポイントＰｎ（＝１５０）を超えるので、図１４に示す交換問合せ画面９２が表示される。
【００６９】
ここで、ポイント会員がＮＯボタン９２２をタッチ操作した場合、タッチパネル５５の画面は、図１６に示す仮登録画面９３Ｂに更新される。ポイント会員は、仮登録画面９３Ｂから、累積ポイントＰｙが、景品ＡＡＡの交換の必要なポイントに到達したことを確認できる。
【００７０】
一方、ポイント会員がＹＥＳボタン９２１をタッチ操作した場合には、タッチパネル５５の画面は、図１７に示す仮登録画面９３Ｃに更新される。仮登録画面９３Ｃには、景品毎の不足ポイント表示に代えて、交換ステータスＳＴが“１”の景品ＡＡＡを累積ポイントで交換することを選択した旨のメッセージ９１４が表示される。ポイント会員は、仮登録画面９３Ｃから、累積ポイントと交換に景品ＡＡＡが得られることを確認できる。
【００７１】
ところで、購入した商品の会計を行う前に、購入を取り止める商品が発生する場合がある。その場合、ポイント会員は、仮登録画面９１の取消ボタン９１３をタッチ操作した後、その購入を取り止める商品に関連付けられた電子棚札３４に携帯端末５を近づける。そうすると、携帯端末５のＮＦＣチップ５７と電子棚札３４のＮＦＣチップ３４６との間で、ＮＦＣ通信が行われる。このＮＦＣ通信により、携帯端末５では、Act１６の処理にて“ＹＥＳ”と判断され、Act２１の処理にて“ＥＳＬ”と判断され、Act２２の処理にて“ＹＥＳ”と判断されて、取消処理が開始される。
【００７２】
図１２は、取消処理の手順を具体的に示す流れ図である。取消処理に入ると、ＣＰＵ５１は、ＮＦＣ通信相手の電子棚札３４からＥＳＬＩＤを取得する（Act５１）。ＥＳＬＩＤを取得すると、ＣＰＵ５１は、そのＥＳＬＩＤを、通信デバイス５６を介してポイントサーバ２１に送信する（Act５２）。
【００７３】
汎用ネットワーク８を介してＥＳＬＩＤを受信したポイントサーバ２１は、専用ネットワーク７を介してＥＳＬサーバ３１にそのＥＳＬＩＤを転送する。ＥＳＬＩＤを受信したＥＳＬサーバ３１は、ＥＳＬデータベース３２にアクセスする。そしてＥＳＬサーバ３１は、受信したＥＳＬＩＤを含むデータレコード３２Ｒを読出し、このデータレコードの商品コード、商品名、価格及び付与ポイントＰｉを含むＥＳＬデータを、汎用ネットワーク８を介してポイントサーバ２１に送信する。ＥＳＬデータを受信したポイントサーバ２１は、そのＥＳＬデータを、ＥＳＬＩＤ送信元の携帯端末５に送信する。
【００７４】
Act５２にてＥＳＬＩＤを送信したＣＰＵ５１は、ＥＳＬデータを待機する（Act５３）。そして、通信デバイス５６を介してＥＳＬデータを受信したならば（Act５３にてＹＥＳ）、ＣＰＵ５１は、そのＥＳＬデータに含まれる商品コード、商品名、価格及び付与ポイントＰｉが、仮登録メモリ５３１に登録されているか否かを確認する（Act５４）。登録されていない場合（Act５４にてＮＯ）、取消処理は終了する。
【００７５】
仮登録メモリ５３１にＥＳＬデータが登録されている場合（Act５４にてＹＥＳ）、ＣＰＵ５１は、仮登録点数Ｎから“１”を減算する（Act５５）。またＣＰＵ５１は、仮登録金額Ａから、ＥＳＬデータに含まれる価格を減算する（Act５６）。さらにＣＰＵ５１は、累積ポイントＰｙから、ＥＳＬデータに含まれる付与ポイントＰｉを減算する（Act５７）。なお、Act５５，５６，５７の処理順序は、本実施形態に限定されない。前後が入れ替わってもよい。
【００７６】
その後、ＣＰＵ５１は、カウンタｋを“０”にリセットする（Act５８）。次いでＣＰＵ５１は、カウンタｋを“１”だけカウントアップする（Act５９）。そしてＣＰＵ５１は、景品管理メモリ５３６のｋ番目エリア（ｋはカウンタｋの値）に、景品データが格納されているか否かを確認する（Act６０）。景品データが格納されている場合（Act６０にてＹＥＳ）、ＣＰＵ５１は、そのｋ番目エリアの不足ポイントＰｓに、ＥＳＬデータに含まれる付与ポイントＰｉを加算する（Act６１）。そしてＣＰＵ５１は、付与ポイントＰｉを加算した後の不足ポイントＰｓが正であるか否かを確認する（Act６２）。不足ポイントＰｓが“０”または負の場合（Act６２にてＮＯ）、ＣＰＵ５１は、Act５９の処理に戻る。
【００７７】
不足ポイントＰｓが正の場合には（Act６２にてＹＥＳ）、ＣＰＵ５１は、ｋ番目エリアの交換ステータスＳＴを調べる（Act６３）。交換ステータスＳＴが“１”の場合（Act６３にてＹＥＳ）、ＣＰＵ５１は、この交換ステータスＳＴを“０”に変更する（Act６４）。またＣＰＵ５１は、累積ポイントメモリ５３５の累積ポイントＰｙにｋ番目エリアの必要ポイントＰｎを加算する（Act６５）。交換ステータスＳＴが“１”以外の場合には（Act６３にてＮＯ）、Act６４，Act６５の処理を実行しない。その後、ＣＰＵ５１は、Act５９の処理に戻る。
【００７８】
すなわちＣＰＵ５１は、カウントｋをさらに“１”だけカウントアップして、Act６０以降の処理を再度実行する。この繰り返しにより、景品管理メモリ５３６にセットされた各景品データの不足ポイントＰｓに、ＥＳＬデータに含まれる付与ポイントＰｉが加算される。そして不足ポイントＰｓが正になった場合には、交換ステータスＳＴがチェックされ、“１”であった場合には“０”に変更される。
【００７９】
景品管理メモリ５３６のｋ番目エリアに景品データが格納されていないことを確認すると（Act６０にてＮＯ）、ＣＰＵ５１は、仮登録メモリ５３１に登録されているデータの中から、受信したＥＳＬデータと一致するデータを削除する（Act６６）。またＣＰＵ５１は、仮登録画面９１の情報を編集し直して、更新後の仮登録画面９４をタッチパネル５５に表示させる（Act６７）。以上で、取消処理は終了する。
【００８０】
図１８は、取消処理において更新された後の仮登録画面９４の一例である。図１６または図１７の仮登録画面９３Ｂまたは９３Ｃが表示されている状態において、付与ポイントＰｉが３ポイントの商品ＡＢＣの購入を取り止めるとする。この場合、ポイント会員は、取消ボタン９１３にタッチした後に商品ＡＢＣに関連付けられた電子棚札３４に携帯端末５を近づける。そうすると、累積ポイントＰｙは１４９ポイントとなるので、図１８に示す仮登録画面９４に更新される。ポイント会員は、仮登録画面９４から、景品ＡＡＡとの交換ができなくなったこと、交換のためには、付与ポイントＰｉが１ポイント以上の商品を購入する必要があることを確認できる。
【００８１】
さて、買物を終えて購入した商品の会計を行う場合、ポイント会員は、会計ボタン９１２にタッチした後、ＰＯＳ端末４３に接続されるＮＦＣリーダに携帯端末５を近づける。そうすると、携帯端末５のＮＦＣチップ５７とＮＦＣリーダとの間で、ＮＦＣ通信が行われる。このＮＦＣ通信により、携帯端末５からＰＯＳ端末４３に、各メモリ５３１〜５３６のデータが送信される。
【００８２】
ＰＯＳ端末４３においては、仮登録メモリ５３１のデータがディスプレイに表示されるので、キャッシャは、その表示内容と買物籠内の商品とを照合する。そして相違がなければ、キャッシャは、ポイント会員から支払いを受けた後、締めキーを操作する。そうすると、ＰＯＳ端末４３においては、仮登録メモリ５３１のデータに基づいて商品の販売データが売上処理される。
【００８３】
また、ＰＯＳ端末４３においては、景品管理メモリ５３６のデータの中で交換ステータスＳＴが“１”のデータが存在する場合、そのデータの景品名称がディスプレイに表示される。そこでキャッシャは、この名称の景品をポイント会員に渡す。
【００８４】
その後、ＰＯＳ端末４３からＰＯＳサーバ４１に、会員ＩＤと累積ポイントＰｙとを含む通信データが送信される。この通信データは、ＰＯＳサーバ４１から専用ネットワーク７を介してポイントサーバ２１に送信される。この通信データを受信したポイントサーバ２１は、ポイントデータベース２２にアクセスして、同一会員ＩＤを含むデータの保有ポイントＰｘを累積ポイントＰｙに書き換える。かくして、小売店で買物をしたポイント会員の保有ポイントが最新値に更新される。
【００８５】
このように本実施形態によれば、携帯端末５を携帯するポイント会員に対し、その携帯端末５を利用して、購入商品の会計前にその購入商品分も加味した累積ポイントを客に提示することができる。また、景品の交換が可能となるまでの不足ポイントも表示されるので、ポイント会員の購買意欲を高めることができる。その結果、小売店の販売促進を図ることができる。
【００８６】
なお、本発明は、前記実施形態に限定されるものではない。  
例えば前記実施形態では、商品毎に付与ポイントＰｉを設定したが、仮登録金額Ａからサービスポイントを算出してポイント会員に付与する場合も、本実施形態を適用することができる。すなわち、仮登録が行われる毎に合計金額から算出されるサービスポイントの変化分を算出し、この変化分を付与ポイントＰｉとして処理すればよい。
【００８７】
また前記実施形態では、電子棚札３４と携帯端末５とのＮＦＣ通信により、電子棚札３４から携帯端末５に送信されるデータをＥＳＬＩＤとしたが、電子棚札３４に関連付けられた商品を特定できるデータであればよい。すなわち、商品コードであってもよい。あるいは、ＥＳＬデータベース３２のデータレコード３２Ｒに、当該電子棚札３４に設けられたＮＦＣチップ３４６固有のＩＤを追加することにより、このＩＤを携帯端末５に送信するようにしてもよい。
【００８８】
また前記実施形態では、ＰＯＳ端末４３にＮＦＣリーダを接続し、ＮＦＣ通信を利用して、携帯端末５のメモリデータをＰＯＳ端末４３に送信したが、メモリデータの送信方法はこれに限定されるものではない。例えば、有線で携帯端末５とＰＯＳ端末４３とを接続して、携帯端末５からＰＯＳ端末４３にメモリデータを送信してもよい。あるいは、ＰＯＳサーバ４１に汎用ネットワーク８を接続する。そして、この汎用ネットワーク８を介して携帯端末５からＰＯＳサーバ４１にメモリデータを送信し、さらにＰＯＳサーバ４１からＰＯＳ端末４３に転送するようにしてもよい。
【００８９】
また前記実施形態では、保有ポイント取得手段、サービスポイント取得手段及びポイント加算手段を携帯端末５が有する場合を示したが、これに限定されるものではない。例えばポイントサーバ２１、ＥＳＬサーバ２２またはＰＯＳサーバ４１のいずれか１つまたは複数が上記各手段を有し、ポイント加算手段によって算出された累積ポイントを電子棚札３４のＮＦＣ通信を行った携帯端末５に送信し、出力させてもよい。この場合も、前記実施形態と同様の作用効果を奏し得る。
【００９０】
この他、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９１】
１…ポイントサービス処理システム、２…ポイント管理システム、３…ＥＳＬシステム、４…ＰＯＳシステム、５…携帯端末、２１…ポイントサーバ、２２…ポイントデータベース、２３…景品テーブル、３１…ＥＳＬサーバ、３２…ＥＳＬデータベース、３３…中継機、３４…電子棚札（ＥＳＬ）、４１…ＰＯＳサーバ、４２…ＰＯＳデータベース、４３…ＰＯＳ端末、５７、３４６…ＮＦＣチップ。
【図１】
2016057678.tif 000003
【図２】
2016057678.tif 000004
【図３】
2016057678.tif 000005
【図４】
2016057678.tif 000006
【図５】
2016057678.tif 000007
【図６】
2016057678.tif 000008
【図７】
2016057678.tif 000009
【図８】
2016057678.tif 000010
【図９】
2016057678.tif 000011
【図１０】
2016057678.tif 000012
【図１１】
2016057678.tif 000013
【図１２】
2016057678.tif 000014
【図１３】
2016057678.tif 000015
【図１４】
2016057678.tif 000016
【図１５】
2016057678.tif 000017
【図１６】
2016057678.tif 000018
【図１７】
2016057678.tif 000019
【図１８】
2016057678.tif 000020